(57)【要約】【課題】載置された薄型テレビの転倒を防止することが可能なテレビ台を提供する。【解決手段】テレビ台の載置部１０の上面において、固定部材２の後方に薄型テレビ５が載置された場合、固定部材２によって一端が固定されたバンド３，３が、薄型テレビ５の柱部５２を隔てた２箇所で脚部５１を押圧する。そして、薄型テレビ５の後方において、バンド３，３のそれぞれに設けられた取付穴３１，３１…のうちのそれぞれ１つを重ねてビス３３を挿通させ、このビス３３をネジ穴に螺嵌させる。【選択図】図４
2009010490.tif 000002
【特許請求の範囲】
【請求項１】
上面に薄型テレビが載置される筺体形状のテレビ台において、
前記上面は矩形状に形成されており、
前記上面の中央よりも一の長辺側の所定位置に一端が取り付けられ、他端から前記一端との間に複数の取付穴が設けられた２つのバンドと、
前記上面の中央よりも他の長辺側の所定位置で、前記バンドのそれぞれに設けられた取付穴のそれぞれ１つをまとめて掛止する掛止部材と
を備えることを特徴とするテレビ台。
【請求項２】
前記薄型テレビは、表示画面と、脚部と、前記表示画面及び前記脚部を連結する柱部とを有しており、
前記掛止部材は、前記上面に薄型テレビが載置された場合、前記柱部を隔てた２箇所で前記脚部の上を渡って配置された前記２つのバンドに設けられた取付穴を掛止するように構成してあることを特徴とする請求項１に記載のテレビ台。
【請求項３】
前記上面の中央よりも他の長辺側の所定位置にネジ穴が設けてあり、
前記掛止部材は、前記バンドのそれぞれに設けられた取付穴に挿通されて前記ネジ穴に螺嵌してあるねじであることを特徴とする請求項１又は２に記載のテレビ台。
【請求項４】
前記バンドは、前記上面の中央よりも一の長辺側の所定位置に固定された固定部材に一端が取り付けられていることを特徴とする請求項１から３までのいずれか一項に記載のテレビ台。
【発明の詳細な説明】
【技術分野】
【０００１】
本発明は、薄型テレビが載置されるテレビ台に関するものである。
【背景技術】
【０００２】
近年、ＬＣＤ（Liquid Crystal Display）モニタ、ＰＤＰ（Plasma Display Panel）モニタ、有機ＥＬ（Electro Luminescence）モニタ等の表示装置、及びこのような表示装置を利用した薄型テレビが普及している。このような表示装置及び薄型テレビは、例えばブラウン管を利用した表示装置と比して設置面に対して不安定であり、地震等によって転倒する虞がある。そこで、特許文献１，２では、薄型テレビの転倒を防止する器具が提案されている。図９は従来の転倒防止具の構成例を示す斜視図であり、図９（ａ）には特許文献１に開示された器具を、図９（ｂ）には特許文献２に開示された器具をそれぞれ示している。
【０００３】
薄型テレビ５は、表示画面５０と、脚部５１と、表示画面５０及び脚部５１を連結する柱部５２とを備えている。図９（ａ）に示す器具では、薄型テレビ５が載置されたテレビ台６の上面に対して、薄型テレビ５の脚部５１の２つの突出部にそれぞれ取り付けられた器具６０，６０の下面を両面接着テープによって固定する。図９（ｂ）に示す器具では、薄型テレビ５の柱部５２の上端部に設けられた固定部材６２に２つのワイヤ６１，６１のそれぞれ一端が取り付けられており、このワイヤ６１，６１の他端がテレビ台６の背面の適宜位置に設けられた２つの固定部材６３，６３のそれぞれに取り付けられている。従って、２つのワイヤ６１，６１によって薄型テレビ５がテレビ台６上に固定される。
【特許文献１】特開２００６−２９３２４９号公報
【特許文献２】実用新案登録第３１２４５７４号公報
【発明の開示】
【発明が解決しようとする課題】
【０００４】
しかし、特許文献１で開示された器具では、一度テレビ台に薄型テレビを固定すると薄型テレビの配置位置を変更することはできないという問題を有する。従って、薄型テレビの向き又は配置位置を変更する場合、又は薄型テレビを買い換えた場合には、新しい器具を薄型テレビの脚部に取り付けて再度テレビ台に固定する必要がある。また、ユーザが両面接着テープによってテレビ台に薄型テレビを固定するため、テレビ台の載置面上の素材によっては十分な接着力が得られない場合がある。更に、薄型テレビの脚部の突出部の形状が、器具６０，６０に対して幅が広い場合又は厚みが大きい場合には、利用できないものもある。また、特許文献２で開示された器具では、薄型テレビの表示画面の前方への転倒は防止できるが、後方への転倒は防止し難いという問題を有する。
【０００５】
本発明は斯かる事情に鑑みてなされたものであり、その目的とするところは、どのような形状の脚部を有する薄型テレビに対しても確実に転倒を防止することが可能なテレビ台を提供することにある。
【課題を解決するための手段】
【０００６】
本発明に係るテレビ台は、上面に薄型テレビが載置される筺体形状のテレビ台であり、矩形状に形成された上面の中央よりも一の長辺側の所定位置に、複数の取付穴が設けられた２つのバンドのそれぞれ一端が取り付けられており、前記上面の中央よりも他の長辺側の所定位置で、前記バンドのそれぞれに設けられた取付穴のそれぞれ１つをまとめて掛止部材で掛止する。
【発明の効果】
【０００７】
本発明では、上面の中央よりも一の長辺側の所定位置に２つのバンドのそれぞれ一端が取り付けられており、それぞれのバンドに設けられた取付穴のそれぞれ１つが、上面の中央よりも他の長辺側の所定位置でまとめて掛止されている。よって、２つのバンドによって薄型テレビの脚部を確実に固定することができ、地震等による薄型テレビの転倒を防止することができる。また、薄型テレビの脚部をバンドによって固定するので、バンドによって押さえることができる領域を有する脚部であれば、いかなる形状及び大きさの脚部を有する薄型テレビであっても固定することができる。
【発明を実施するための最良の形態】
【０００８】
以下に、本発明に係るテレビ台をその実施形態を示す図面に基づいて詳述する。図１は本発明に係るテレビ台の構成例を示す斜視図である。図１はテレビ台１に薄型テレビ５（図４参照）が載置されていない状態を示しており、図１（ａ）にはテレビ台１を正面側から見た図を、図１（ｂ）にはテレビ台１を背面側から見た図をそれぞれ示している。
【０００９】
本実施形態では、薄型テレビ５はテレビ台１の上面の中央に載置されるものとする。本実施形態のテレビ台１は、薄型テレビ５が載置される載置部１０、載置部１０の下面の左右端部からそれぞれ延設され、載置部１０をテレビ台１の設置面に対して支持する支持部１１，１１等を備える。載置部１０は、例えば中空の筺体に形成されており、少なくとも上面板、正面板、背面板及び２枚の側面板により構成されている。支持部１１，１１には、下端から適宜距離を隔てた位置に、ビデオデッキ、ＤＶＤプレイヤー等の記録再生装置等を載置するための機器載置板１２が横架されている。
【００１０】
載置部１０の正面の左右２箇所にはスピーカ１３，１３が設けてあり、薄型テレビ５又は機器載置板１２上に載置された記録再生装置の音声出力部に接続されたケーブル（図示せず）との接続が可能な接続部（図示せず）が適宜位置に設けられている。
【００１１】
テレビ台１の載置部１０の上面板には、中央よりも正面側の所定位置、より具体的には、薄型テレビ５が載置される位置よりも正面側の適宜位置に固定部材２が設けられており、２つのバンド３，３のそれぞれ一端が固定部材２に取り付けられている。なお、固定部材２及びバンド３，３の詳細については後述する。また、載置部１０には、上面板の中央よりも背面側の所定位置、本実施形態では、載置部１０の背面板の上端中央から鉛直下方向に所定距離だけ隔てた位置にネジ穴４が形成されている。
【００１２】
図２は固定部材２及びバンド３，３の構成例を示す模式図である。図２（ａ）には固定部材２及びバンド３，３の斜視図を、図２（ｂ）には載置部１０の上面板に取り付けられた固定部材２の縦断面図をそれぞれ示している。固定部材２は、例えばデンデンボルト等のボルト２０と、適宜の太さを有し、三角形状に形成された金具２３とにより構成されている。金具２３は、例えばステンレススチール又はアルミニウム合金によって製造されている。載置部１０の上面板には、中央よりも正面側の所定位置（薄型テレビ５が載置される位置よりも正面側の適宜位置）に貫通孔１０ａが穿設されており、ボルト２０のネジ部２２が上面板の上部から貫通孔１０ａに挿通され、上面板の下部においてワッシャ２４に挿通された後、ナット２５に螺嵌されている。これにより、ボルト２０が上面板に固定される。
【００１３】
図示しないが、金具２３には切欠部が設けられており、この切欠部を介して金具２３がボルト２０の頭部の貫通孔２１に挿通されている。金具２３は、三角形状の１つの角部でボルト２０の貫通孔２１と係合しており、この角部に対向する直線部には、２つのバンド３，３のそれぞれの一端が係止されている。金具２３に係止されたバンド３，３の一端は折り返されて止め部３２，３２によって、金具２３から外れないように取り付けられている。なお、バンド３，３の一端に例えばカラビナを取り付け、カラビナによってバンド３，３と金具２３とを固定する構成でもよい。
【００１４】
金具２３の切欠部は、バンド３，３が係止されている１つの直線部以外の直線部に配置されることが好ましく、これにより、バンド３，３によって金具２３が張架された場合であっても金具２３がボルト２０から外れることはない。
【００１５】
バンド３，３は、例えば透過性を有する強化ナイロンによって構成されており、所定の長さ（例えば３０ｃｍ程度）を有している。バンド３，３を透明にすることにより、薄型テレビ５に対してバンド３，３を目立たせないので見た目がよいが、例えば、テレビ台１の上面と同色としてもよい。また、バンド３，３を強化ナイロンによって構成することにより、薄型テレビ５に生じた揺れを抑制して薄型テレビ５を確実に固定することができる。バンド３，３の他端には所定間隔（例えば２ｃｍ程度）で複数の取付穴３１，３１…が設けられている。
【００１６】
ここで、本実施形態のテレビ台１に載置される薄型テレビ５は、表示画面５０、脚部５１、表示画面５０及び脚部５１を連結し、表示画面５０を支持する柱部５２とを有しており、脚部５１及び柱部５２はさまざまな形状及び大きさに構成されている。図３は脚部５１及び柱部５２のバリエーションを示す模式図である。図３には薄型テレビ５の脚部５１及び柱部５２のみを示しているが、表示画面の正面側から見た図をそれぞれ示している。
【００１７】
図３（ａ）に示す薄型テレビ５では、脚部５１はブーメラン形状に形成されており、脚部５１の屈曲部分に１本の柱部５２が設けられている。図３（ｂ）に示す薄型テレビ５では、脚部５１は適宜の長さを有する直線部５１ａと直線部５１ａの両端から薄型テレビ５の前方に突設された２つの突出部５１ｂ，５１ｂとを有しており、脚部５１の直線部５１ａの中央に１本の柱部５２が設けられている。
【００１８】
図３（ｃ）に示す薄型テレビ５では、脚部５１は、図３（ｂ）に示した脚部５１において直線部５１ａの両端から更に薄型テレビ５の後方に突設された２つの突出部５１ｃ，５１ｃを有しており、脚部５１の直線部５１ａの中央に１本の柱部５２が設けられている。図３（ｄ）に示す薄型テレビ５では、脚部５１は適宜の長さを有する直線部５１ａと直線部５１ａの両端から薄型テレビ５の前後方向に、直線部５１ａに対して垂直に突設された４つの突出部５１ｄ，５１ｄ，５１ｄ，５１ｄとを有しており、脚部５１の直線部５１ａの中央に１本の柱部５２が設けられている。
【００１９】
図３（ｅ）には、図３（ｂ）に示した薄型テレビ５の変形例を示しており、図３（ｅ）に示す薄型テレビ５では、図３（ｂ）に示した脚部５１の直線部５１ａの長手方向の適宜の２箇所に２本の柱部５２，５２が設けられている。図３（ｆ）には、図３（ｂ）に示した薄型テレビ５の変形例を示しており、図３（ｆ）に示す薄型テレビ５では、図３（ｂ）に示した脚部５１の直線部５１ａに、楕円形の断面を有する１本の柱部５３が、直線部５１ａの長手方向に、柱部５３の長手方向を一致させて設けられている。
【００２０】
なお、図３（ｅ）及び図３（ｆ）には、図３（ｂ）に示した薄型テレビ５の変形例を示したが、図３（ｃ）及び図３（ｄ）に示した薄型テレビ５の脚部５１においても、図３（ｅ）に示したように２本の柱部５２，５２を設けることもでき、図３（ｆ）に示したような形状の柱部５３を設けることもできる。
【００２１】
以下に、上述した構成のテレビ台１において薄型テレビ５を固定した状態について説明する。図４乃至図６はテレビ台１に薄型テレビ５を固定した状態を示す斜視図である。図４には、図３（ｂ）に示した脚部５１及び柱部５２を有する薄型テレビ５が固定された状態を示しており、図４（ａ）にはテレビ台１を正面側から見た図を、図４（ｂ）にはテレビ台１を背面側から見た図をそれぞれ示している。
【００２２】
図４に示すようにテレビ台１の載置部１０の上面において、固定部材２の後方位置に載置された薄型テレビ５がバンド３，３によって固定された場合、薄型テレビ５の後方で、バンド３，３のそれぞれに設けられた取付穴３１，３１…のうちのそれぞれ１つを重ね、バンド３，３のそれぞれの取付穴３１，３１に挿通されたビス３３がネジ穴４に螺嵌させてある。これにより、固定部材２によって一端が固定されたバンド３，３が、薄型テレビ５の脚部５１の直線部５１ａにおいて、柱部５２を隔てた２箇所で脚部５１の上を渡って脚部５１を押下し、薄型テレビ５の前後の２箇所において固定された２つのバンド３，３によって薄型テレビ５の脚部５１がテレビ台１の上面に固定される。
【００２３】
図５には、図３（ｅ）に示した脚部５１及び柱部５２，５２を有する薄型テレビ５が固定された状態を示しており、図５（ａ）にはテレビ台１を正面側から見た図を、図５（ｂ）にはテレビ台１を背面側から見た図をそれぞれ示している。図５に示すようにテレビ台１の載置部１０の上面において、固定部材２の後方位置に載置された薄型テレビ５がバンド３，３によって固定された場合、薄型テレビ５の後方で、バンド３，３のそれぞれに設けられた取付穴３１，３１…のうちのそれぞれ１つを重ね、バンド３，３のそれぞれの取付穴３１，３１に挿通されたビス３３がネジ穴４に螺嵌させてある。これにより、固定部材２によって一端が固定されたバンド３，３が、薄型テレビ５の脚部５１の直線部５１ａにおいて、２本の柱部５２，５２を隔てた２箇所で脚部５１の上を渡って脚部５１を押下し、薄型テレビ５の前後の２箇所において固定された２つのバンド３，３によって薄型テレビ５の脚部５１がテレビ台１の上面に固定される。
【００２４】
図６には、図３（ｆ）に示した脚部５１及び柱部５３を有する薄型テレビ５が固定された状態を示しており、図６（ａ）にはテレビ台１を正面側から見た図を、図６（ｂ）にはテレビ台１を背面側から見た図をそれぞれ示している。図６に示すようにテレビ台１の載置部１０の上面において、固定部材２の後方位置に載置された薄型テレビ５がバンド３，３によって固定された場合、薄型テレビ５の後方で、バンド３，３のそれぞれに設けられた取付穴３１，３１…のうちのそれぞれ１つを重ね、バンド３，３のそれぞれの取付穴３１，３１に挿通されたビス３３がネジ穴４に螺嵌させてある。これにより、固定部材２によって一端が固定されたバンド３，３が、薄型テレビ５の脚部５１の直線部５１ａにおいて、柱部５３を隔てた２箇所で脚部５１の上を渡って脚部５１を押下し、薄型テレビ５の前後の２箇所において固定された２つのバンド３，３によって薄型テレビ５の脚部５１がテレビ台１の上面に固定される。
【００２５】
上述したように、薄型テレビ５の前後の２箇所で固定された２つのバンド３，３が、薄型テレビ５の柱部５２を隔てた２箇所で薄型テレビ５の脚部５１を押下することにより、テレビ台１の上面の素材に拘わらす、薄型テレビ５に対する左右の揺れを防止して薄型テレビ５を確実に固定することができ、耐震性を高めることができる。また、バンド３，３に複数の取付穴３１，３１…を設けることにより、バンド３，３の長さを適宜調整することができるので、柱部５２及び脚部５１の形状に拘わらず、全ての薄型テレビ５を確実に載置部１０に固定することができる。
【００２６】
以下に、テレビ台１の変形例について説明する。図７はテレビ台１の変形例を示す模式図であり、図７（ａ）には固定部材２のボルト２０の変形例を、図７（ｂ）にはネジ穴４に螺嵌されるビス３３の変形例をそれぞれ示している。上述した実施形態では、図２（ｂ）に示したように、テレビ台１の載置部１０の上面板に貫通孔１０ａが穿設され、貫通孔１０ａに挿通されたボルト２０がワッシャ２４を介してナット２５に螺嵌される構成を示したが、図７（ａ）に示すように、載置部１０の上面板の上面にネジ穴１０ｂを設け、例えばアイボルト等のボルト２０をネジ穴１０ｂに螺嵌させる構成としてもよい。なお、ネジ穴１０ｂの代わりにナットを埋め込んだ構成としてもよい。
【００２７】
また、上述した実施形態では、図４（ｂ）、図５（ｂ）及び図６（ｂ）に示したように、バンド３の取付穴３１，３１に挿通させたビス３３を、テレビ台１の背面板に設けられたネジ穴４に螺嵌させることにより、バンド３，３の他端をテレビ台１の背面板に固定する構成を示したが、図７（ｂ）に示すように、ネジ穴４に予めフックネジ（掛止部材）３４をフック部分３４ａが下に向くように螺嵌させておき、バンド３の取付穴３１，３１をフックネジ３４のフック部分３４ａに掛止させるようにしてもよい。この場合、ビス３３の取付操作が不要となる。
【００２８】
上述した実施形態では、テレビ台１の載置部１０にバンド３，３を固定するための固定部材２を載置部１０の上面に取り付けた構成について説明したが、固定部材２を載置部１０の正面のスピーカ１３，１３の間に取り付けてもよい。また、固定部材２を載置部１０の内部に設けてもよい。図８は固定部材２を載置部１０の内部に設けたテレビ台１の変形例を示す模式図であり、図８（ａ）には載置部１０の上面板に取り付けられた固定部材２の縦断面図を、図８（ｂ）にはテレビ台１を正面側から見た図をそれぞれ示している。なお、図８（ａ）に示す縦断面図はテレビ台１の右側面側から見た図を示している。
【００２９】
図８に示すテレビ台１において、載置部１０の上面板には、中央よりも正面側の所定位置、より具体的には、薄型テレビ５が載置される位置よりも正面側の適宜位置に、左右方向に適宜の長さを有する貫通孔１０ｃが設けられている。また、載置部１０の上面板の下面の貫通孔１０ｃよりも正面側の適宜位置にネジ穴１０ｄが設けてあり、例えばアイボルト等のボルト２０がネジ穴１０ｄに螺嵌させてある。ボルト２０の頭部の貫通孔２１には金具２３が挿通してあり、金具２３にはバンド３，３の一端がそれぞれ係止させてある。
【００３０】
金具２３に係止されたバンド３，３は貫通孔１０ｃを介して上面板の上面側に引き出されている。このような構成により、載置部１０の上面にはバンド３，３のみが配置され、固定部材２が載置部１０の上面から見えなくなるので見た目がよい。なお、ネジ穴１０ｄは、載置部１０の上面板の下面の貫通孔１０ｃよりも背面側の適宜位置、又は載置部１０の正面板の内側の面に設けてもよく、ネジ穴１０ｄを正面板に設けた場合には、ボルト２０は正面板に固定される。
【００３１】
上述した実施形態では、テレビ台１の載置部１０の所定位置に固定部材２が固定された状態について説明した。しかし、固定部材２を薄型テレビ５の前後方向への移動が可能に構成してもよい。具体的には、例えば、載置部１０の上面板の中央よりも正面側の所定位置を基準として薄型テレビ５の前後方向に所定の長さを有する貫通孔を設け、貫通孔の適宜位置においてボルト２０のネジ部２２を上面板の上部から挿通させ、上面板の下部においてワッシャ２４に挿通させた後、ナット２５に螺嵌させる。これにより、貫通孔の形成方向における任意の位置に固定部材２の配置位置を変更することができる。この場合、薄型テレビ５の脚部５１及び柱部５２の形状に拘わらず、より多種の薄型テレビ５の固定が可能となる。
【図面の簡単な説明】
【００３２】
【図１】本発明に係るテレビ台の構成例を示す斜視図である。
【図２】固定部材及びバンドの構成例を示す模式図である。
【図３】脚部及び柱部のバリエーションを示す模式図である。
【図４】テレビ台に薄型テレビを固定した状態を示す斜視図である。
【図５】テレビ台に薄型テレビを固定した状態を示す斜視図である。
【図６】テレビ台に薄型テレビを固定した状態を示す斜視図である。
【図７】テレビ台の変形例を示す模式図である。
【図８】テレビ台の変形例を示す模式図である。
【図９】従来の転倒防止具の構成例を示す斜視図である。
【符号の説明】
【００３３】
１  テレビ台
２  固定部材
２０  ボルト
２３  金具
３  バンド
４  ネジ穴
【図１】
2009010490.tif 000003
【図２】
2009010490.tif 000004
【図３】
2009010490.tif 000005
【図４】
2009010490.tif 000006
【図５】
2009010490.tif 000007
【図６】
2009010490.tif 000008
【図７】
2009010490.tif 000009
【図８】
2009010490.tif 000010
【図９】
2009010490.tif 000011